(57)【特許請求の範囲】
【請求項１】
脚にキャスタが設けられ、床面上を移動可能に構成されたテーブル、椅子等において、前記脚の床面に対する高さを調整する高さ調整装置であって、
前記キャスタの上方に、該キャスタに対して回動可能に突設された取付ボルトと、
外部から操作可能な鍔部を備え、前記取付ボルトに固定されて該取付ボルトを回動させるアジャスタと、
前記脚の下面に形成され、前記取付ボルトが螺合可能な雌ねじ部と、
該雌ねじ部の周囲に同心円状に形成され、前記取付ボルトが螺合された際に前記アジャスタの一部が挿入される円周溝と、
からなり、
前記アジャスタは、前記鍔部から上方に突設され、前記円周溝に挿入された際に、該円周溝の壁面に当接して少なくとも一部が変形することにより該壁面を付勢し、当該アジャスタの回動を阻止する制動部を備えたことを特徴とする高さ調整装置。
【請求項２】
前記円周溝は、脚の下面における外周の径よりも溝の底面における外周の径の方が大きいテーパ状に形成されたことを特徴とする請求項１に記載の高さ調整装置。
【請求項３】
前記制動部は円筒状に形成されると共に、該円筒の側壁の端部には切り込みが形成されており、該切り込みにより分割された各側壁が前記円周溝の壁面に当接して変形することを特徴とする請求項１または請求項２に記載の高さ調整装置。
【請求項４】
前記制動部において、前記円周溝の壁面に当接する側には、第１突起が設けられていることを特徴とする請求項１〜請求項３の何れかに記載の高さ調整装置。
【請求項５】
前記円周溝には、該円周溝内に突出して前記第１突起に係合し、前記制動部が前記円周溝から抜け出ることを防止する係合部が設けられたことを特徴とする請求項４に記載の高さ調整装置。
【請求項６】
前記制動部において、前記円周溝の壁面に当接する当接部より下方に第２突起が設けられており、
前記円周溝には、該円周溝内に突出して前記第２突起に係合し、前記制動部が前記円周溝から抜け出ることを防止する係合部が設けられたことを特徴とする請求項１〜請求項４の何れかに記載の高さ調整装置。
【請求項７】
前記第２突起は、前記円周溝の壁面に当接されることを特徴とする請求項６に記載の高さ調整装置。
【発明の詳細な説明】
【技術分野】
【０００１】
本発明は、テーブル、机、椅子などの脚の床面からの高さを調整するための高さ調整装置に関するものである。
【背景技術】
【０００２】
従来より、テーブルや椅子等には、各脚に夫々高さ調整装置が設けられたものがあり、使用者は、この高さ調整装置を夫々独立して調整することにより、床面に凹凸がある場合であってもテーブルや椅子を安定させたり、また、他のテーブルとの高さ合せを行なうことが可能である。
【０００３】
そしてこのような高さ調整装置としては、例えば、テーブルや椅子の脚に形成された雌ねじに対して、キャスタやストッパ等の接地部材から垂接された取付ボルトを螺合し、一方、雌ねじの上方からこの取付ボルトに調整ハンドルを螺合することで、取付ボルトを引き込んで上下動させるように構成されたものがある。
【０００４】
しかし、接地部材としてキャスタが取り付けられた場合には、テーブル等が移動される際の振動により取付ボルトや調整ハンドルが緩みやすく、調整状態が維持されないという問題があった。そこで、このような緩みを防止できる高さ調整装置として、調整ハンドル及び取付ボルトが一体に回動されるようにすると共に、調整時以外は、脚に設けられたナットに調整ハンドルが係合して回動できないように構成し、調整状態を維持できるようにされたものが提案されている（例えば、特許文献１等参照）。
【特許文献１】実用新案登録第２５３２１８９号公報
【発明の開示】
【発明が解決しようとする課題】
【０００５】
しかしながら、上記提案の高さ調整装置では、脚にナットを固定する一方、調整ハンドル側にナットに係合可能な係合溝を設け、スプリングにより調整ハンドルをナット側に付勢して係合させている。このため、調整を行う際には、スプリングの付勢力に抗して調整ハンドルをナットから外した状態で調整ハンドルを回転させなければならず、操作が面倒であり、また、部品点数が多くなるという問題もあった。
【０００６】
本発明はかかる課題に鑑みなされたもので、テーブル、椅子等の脚の高さを調整可能で、且つ、調整状態が確実に維持される高さ調整装置を、少ない部品で簡単に構成し、しかも、容易に高さを調整できるようにすることを目的とする。
【課題を解決するための手段】
【０００７】
かかる目的を達成するためになされた請求項１に記載の発明は、
脚にキャスタが設けられ、床面上を移動可能に構成されたテーブル、椅子等において、前記脚の床面に対する高さを調整する高さ調整装置であって、
前記キャスタの上方に、該キャスタに対して回動可能に突設された取付ボルトと、
外部から操作可能な鍔部を備え、前記取付ボルトに固定されて該取付ボルトを回動させるアジャスタと、
前記脚の下面に形成され、前記取付ボルトが螺合可能な雌ねじ部と、
該雌ねじ部の周囲に同心円状に形成され、前記取付ボルトが螺合された際に前記アジャスタの一部が挿入される円周溝と、
からなり、
前記アジャスタは、前記鍔部から上方に突設され、前記円周溝に挿入された際に、該円周溝の壁面に当接して少なくとも一部が変形することにより該壁面を付勢し、当該アジャスタの回動を抑制する制動部を備えたことを特徴とする。
【０００８】
このように本発明の高さ調整装置においては、キャスタを脚に取り付けるための取付ボルトに、制動部を備えたアジャスタが固定されている。
従って、本発明の高さ調整装置によれば、外部から鍔部が操作されてアジャスタが回動されると、取付ボルトが回動されて脚に形成された雌ねじ部への取付ボルトの螺合量が変化するので、使用者は、単に鍔部を回動させるだけで、脚の床面に対する高さを容易に調整できる。
【０００９】
また、アジャスタの制動部が円周溝の壁面に当接し、制動部の少なくとも一部が変形されることにより壁面を付勢しており、この制動部の壁面に当接した部分と、円周溝の壁面と、の間に摩擦抵抗が発生するので、アジャスタが緩むことを防止できる。
【００１０】
つまり、本発明の高さ調整装置によれば、調整状態が確実に維持され、且つ、容易に調整可能な高さ調整装置を、脚の下面に雌ねじ部及び円周溝を形成し、一方、キャスタの取付ボルトにアジャスタを固定するといった非常に簡単な構成で実現できる。
【００１１】
次に、請求項２に記載の発明は、請求項１に記載の高さ調整装置において、円周溝が、脚の下面における外周の径よりも溝の底面における外周の径の方が大きいテーパ状に形成されたことを特徴とする。
【００１２】
従って、請求項２に記載の高さ調整装置によれば、円周溝の外周の径が脚の下面に向けて小さくなるようにされているので、アジャスタが下方に移動するときに制動部と円周溝の壁面との間に発生する摩擦抵抗が、円周溝の外周の径が一定に形成された場合よりも大きくなり、より確実にアジャスタの緩みを防止できる。
【００１３】
次に、請求項３に記載の発明は、請求項１または請求項２に記載の高さ調整装置において、制動部が円筒状に形成されると共に、この円筒の側壁の端部には切り込みが形成されており、該切り込みにより分割された各側壁が前記円周溝の壁面に当接して変形することを特徴とする。
【００１４】
従って、請求項３に記載の高さ調整装置によれば、制動部が円筒状に形成されているので、円周溝のほぼ全周にて側壁が壁面に当接する。このため、制動部と壁面との間に発生する摩擦抵抗が大きくなり、より確実にアジャスタの緩みを防止できる。
【００１５】
次に、請求項４に記載の発明は、請求項１〜請求項３の何れかに記載の高さ調整装置において、制動部の円周溝の壁面に当接する側には、第１突起が設けられていることを特徴とする。
【００１６】
従って、請求項４に記載の高さ調整装置によれば、制動部の壁面に当接する側に第１突起が設けられているので、この第１突起が壁面に当接することにより制動部の変形が大きくなると共に、制動部による壁面への付勢力が増大し、より確実にアジャスタの緩みを防止できる。
【００１７】
次に、請求項５に記載の発明は、請求項４に記載の高さ調整装置において、円周溝には、この円周溝内に突出して第１突起に係合し、制動部が円周溝から抜け出ることを防止する係合部が設けられたことを特徴とする。
【００１８】
従って、請求項５に記載の高さ調整装置によれば、第１突起が係合部に係合されて、制動部が円周溝から抜け出ることが防止されるので、例えば、使用者が脚の床面に対する高さを調整するために鍔部を操作してアジャスタを回転させた場合に、アジャスタ、つまり、取付ボルトを緩め過ぎてキャスタが脚から外れてしまうことを防止することができる。
【００１９】
次に、請求項６に記載の発明は、請求項１〜請求項４の何れかに記載の高さ調整装置において、制動部の円周溝の壁面に当接する当接部より下方には第２突起が設けられており、円周溝には、この円周溝内に突出して第２突起に係合し、制動部が円周溝から抜け出ることを防止する係合部が設けられたことを特徴とする。
【００２０】
従って、請求項６に記載の高さ調整装置によれば、制動部に設けられた第２突起が、円周溝内に突出された係合部に係合されるので、制動部が円周溝から抜け出ることが防止され、例えば、使用者が脚の床面に対する高さを調整するために鍔部を操作してアジャスタを回転させた場合に、取付ボルトを緩め過ぎてキャスタが脚から外れてしまうことを防止することができる。また、第２突起及び係合部を設ける位置により、アジャスタの移動範囲、つまり、脚の高さを調整可能な範囲を調整できる。
【００２１】
次に、請求項７に記載の発明は、請求項６に記載の高さ調整装置において、第２突起は、円周溝の壁面に当接されることを特徴とする。
従って、請求項７に記載の高さ調整装置によれば、制動部に設けられた第２突起が、脚に形成された円周溝の壁面に当接されるので、制動部の当接部と壁面との間の摩擦抵抗に加え、この第２突起と壁面との間の摩擦抵抗により、アジャスタの緩みをより確実に防止できる。
【発明を実施するための最良の形態】
【００２２】
以下に本発明の実施形態を図面と共に説明する。
［第１実施形態］
図１は、第１実施形態の移動机１の外観を表す斜視図である。
【００２３】
本実施形態の移動机１は、天板２が水平な使用位置にある場合に床面に対して固定され、天板２が略垂直な収納位置にある場合に床面上を移動可能に構成されたものであり、図１に示すように、長方形の板材からなる天板２と、天板２の長手方向の両端の下方に設けられ、天板支持部１６を介して天板２を使用位置と収納位置との間で回動可能に支持すると共に、下方にキャスタ部１０、１４を備えた一対の脚部４と、を備えている。なお、以下、天板２の長手方向を移動机１の左右方向、この方向に直交する方向を前後方向とし、椅子を配置する側を移動机１の後方、反対側を移動机１の前方として説明する。
【００２４】
脚部４は、上端をやや後方に傾けて上下方向に配置される脚柱６と、脚柱６の中央部からやや下がった位置に結合され、前後方向に配置される脚座８と、から構成されている。
脚柱６は、断面長方形の管状の長尺部材と、この長尺部材の下端に設けられたキャスタ部１０と、からなり、脚柱６の内部には、天板２が使用位置にあるときにキャスタ部１０の下方にストッパ１２を突出させて床面に当接させ、天板２が収納位置にあるときにはこのストッパ１２を床から離間させるための図示しない制動機構が設けられている。そして、この制動機構により、移動机１は、天板２が使用位置にあるときに移動が阻止されるように構成されている。
【００２５】
脚座８は、棒状に形成され、その一端で脚柱６に結合された脚座本体２２と、脚座本体２２の脚柱６に結合された側と反対側の端部に結合されたキャスタ部１４と、キャスタ部１４に固定されたアジャスタ２０と、を備えており、アジャスタ２０を外部から手動で回動させることにより、脚座８の端部の床面からの高さを調整可能に構成されている。
【００２６】
以下、脚座８の端部にて構成される本実施形態の高さ調整装置について説明する。図２は、脚座本体２２の端部の構成（図１のＡ部）を示す分解斜視図であり、図３は、脚座本体２２の端部を、アジャスタ２０の中心を通り、脚座本体２２の長手方向に平行な面にて切断した断面図を示す。
【００２７】
本実施形態の高さ調整装置は、図２に示すように、脚座本体２２と、キャスタ部１４と、アジャスタ２０と、キャスタ部１４が脚座本体２２から離脱しないようにするための薄板状のアジャスタ係止部材３０と、アジャスタ係止部材３０を脚座本体２２に固定するための固定ねじ３２と、から構成されている。
【００２８】
キャスタ部１４は、キャスタ本体２４と、脚座本体２２への取付部２６と、から構成されている。取付部２６は、キャスタ本体２４の上方に、このキャスタ本体２４に対して回動可能に突設されており、キャスタ本体２４を脚座本体２２に取り付けるための取付ボルト２６ａと、取付ボルト２６ａの根元に六角の鍔状に形成され、アジャスタ２０を固定するためのアジャスタ係合部２６ｂとから構成されている。
【００２９】
アジャスタ２０は、合成樹脂による成型品であり、外部から操作可能な鍔状の操作部２０ａと、この操作部２０ａから上方に円筒状に突設され、脚座本体２２に挿入される制動部２０ｂと、を備えている。
【００３０】
操作部２０ａは、制動部２０ｂの径よりも大きい径の円盤状に形成されている。そして、操作部２０ａの中心には、取付ボルト２６ａを挿通可能で、且つ、六角に形成されたアジャスタ係合部２６ｂと係合可能な係合孔２０ｃが形成されている。
【００３１】
制動部２０ｂは、操作部２０ａ側から端部に向けて徐々に側壁が薄くなるような円筒状に形成されており、外周面の軸方向の中央部には、鍔状の突起２０ｅが設けられている。また、この突起２０ｅよりも端部側は、軸方向に形成された４箇所のスリットにより４枚の側壁に分割されており、各側壁からなる揺動部２０ｄの先端には、外側に向けて突起２０ｆが設けられている。さらに、この突起２０ｆの上方の角部には面取りが施されている。
【００３２】
そして、アジャスタ２０の係合孔２０ｃに取付部２６が挿通され、アジャスタ係合部２６ｂが係合孔２０ｃに係合されることにより、外部からアジャスタ２０を回動させることにより、取付ボルト２６ａが一体に回動されるように、アジャスタ２０がキャスタ部１４に固定される。
【００３３】
一方、脚座本体２２は、キャスタ部１４が結合される側の端部が下方に突出されており、その端面（以下、キャスタ取付面２２ａともいう）は床面と平行にされている。そして、脚座本体２２の端部には、取付ボルト２６ａが螺合可能なねじ孔４０がキャスタ取付面２２ａから鉛直方向に形成されている。また、このねじ孔４０にキャスタ部１４の取付ボルト２６ａが螺合された際に、アジャスタ２０の制動部２０ｂが挿入される円周溝４２が、ねじ孔４０の周囲に同心円状に形成されている。
【００３４】
そして、円周溝４２は、軸方向の中央部で溝幅が狭くなるように階段状に形成されており、内側の側面である内壁面４２ａは、キャスタ取付面２２ａから、溝の底面４２ｂに向けてわずかに外側に傾いている。一方、外側の側面は、軸方向の中央部より底面４２ｂ側で径が小さくされており、外側の側面のうち、底面４２ｂ側の第１外壁面４２ｃの径は、アジャスタ２０の揺動部２０ｄの先端に外側を向けて設けられた突起２０ｆの外径よりも小さく形成されている。また、外側の側面のうち、キャスタ取付面２２ａ側の第２外壁面４２ｄの径は、アジャスタ２０の制動部２０ｂの中央部に設けられた突起２０ｅの外径と略等しく形成されている。
【００３５】
また、脚座本体２２のキャスタ取付面２２ａには、アジャスタ係止部材３０を収納可能な形状及び深さの凹部４４が円周溝４２の一部から脚座本体２２の延出方向に形成されており、アジャスタ係止部材３０を固定するための固定ねじ３２が螺合可能なねじ孔４６が、凹部４４の底面から鉛直方向に形成されている。
【００３６】
そして、キャスタ部１４は、取付ボルト２６ａがねじ孔４０に螺合されることにより、脚座本体２２の端部に取り付けられる。そして、キャスタ部１４に固定されたアジャスタ２０は、取付ボルト２６ａが螺合されるのに伴い、制動部２０ｂが円周溝４２に挿入される。ここで、制動部２０ｂの一部である揺動部２０ｄの先端に外側を向けて設けられた突起２０ｆの外径は、円周溝４２の第１外壁面４２ｃの径よりも大きく形成されているために、制動部２０ｂが円周溝４２に挿入された際には、突起２０ｆが第１外壁面４２ｃに当接して揺動部２０ｄが内側に変形される。そして、揺動部２０ｄは、この変形により第１外壁面４２ｃを外方向に付勢する。
【００３７】
なお、突起２０ｆの角部に施された面取りは、揺動部２０ｄの上端の外径が第１外壁面４２ｃよりも小さくなるようにされており、キャスタ部１４を取り付ける際には、アジャスタ２０は、揺動部２０ｄが第１外壁面４２ｃのエッジに当接して内側に変形されつつ、円周溝４２内にスムーズに挿入される。
【００３８】
また、図３に示すように、アジャスタ２０の突起２０ｅが円周溝４２内に収納され、凹部４４の底面より奧に入った状態で、アジャスタ係止部材３０が凹部４４に固定ねじ３２にて固定されており、このアジャスタ係止部材３０の一部が、円周溝４２の開口面に突出されている。
【００３９】
なお、脚座本体２２のキャスタ部１４が取り付けられる側の端部は、ねじ孔４０の軸を中心とする円弧状に形成され、一方、アジャスタ２０の操作部２０ａの径は、この脚座本体２２の端部の円弧の径と等しく形成されており、操作部２０ａは脚座本体２２からはみ出すことなく、外観上良好に脚座本体２２の下方に設けられる。
【００４０】
次に、このアジャスタ２０の使用時の動作について説明する。本実施形態の高さ調整装置においては、キャスタ部１４の上方、つまり、脚座本体２２の端部の下方に配置されたアジャスタ２０の操作部２０ａを右回りに回転させることにより、アジャスタ２０と共に取付ボルト２６ａが回転され、取付ボルト２６ａと、ねじ孔４０との螺合量が増加する。このため、キャスタ取付面２２ａと、床面との距離が近くなり、脚座本体２２の端部の床面に対する高さは低くなる。なお、図３（ｂ）に示すように、アジャスタ２０に形成された突起２０ｅの上面が、円周溝４２内の階段状に形成された部分に係合されることにより、アジャスタ２０の右回りの回転が阻止される。
【００４１】
一方、操作部２０ａを左回りに回転させると、アジャスタ２０と共に取付ボルト２６ａが回転され、取付ボルト２６ａと、ねじ孔４０との螺合量が減少する。このため、キャスタ取付面２２ａと、床面との距離が遠くなり、脚座本体２２の端部の床面に対する高さが高くなる。なお、図３（ａ）に示すように、アジャスタ２０に形成された突起２０ｅの下面が、アジャスタ係止部材３０の円周溝４２の開口面内に突出された部分の上面に係合されることにより、アジャスタ２０の左回りの回転が阻止される。
【００４２】
ここで、図３（ａ）は、脚座本体２２の端部が最も高い位置に配置された状態を示す脚座８の端部の断面図、図３（ｂ）は、脚座本体２２の端部が最も低い位置に配置された状態を示す脚座８の端部の断面図、図３（ｃ）は、脚座８の端部を分解した分解図である。
【００４３】
以上、説明したように、本実施形態の高さ調整装置においては、キャスタ部１４を脚座８に取り付けるための取付ボルト２６ａにアジャスタ２０が固定されており、このアジャスタ２０には、操作部２０ａから上方に突設され、円周溝４２に挿入された際に、この円周溝４２の第１外壁面４２ｃを付勢し、当該アジャスタ２０の回動を抑制する制動部２０ｂが設けられている。
【００４４】
従って、本実施形態の高さ調整装置によれば、使用者は、単に操作部２０ａを回動させるのみで脚座８の床面に対する高さを容易に調整することができる。そして、揺動部２０ｄに設けられた突起２０ｆが第１外壁面４２ｃに当接して揺動部２０ｄが変形することにより、揺動部２０ｄが第１外壁面４２ｃを外方向に付勢し、突起２０ｆと、第１外壁面４２ｃと、の間に摩擦抵抗が発生するので、アジャスタ２０が緩むことを防止できる。
【００４５】
つまり、本実施形態の高さ調整装置によれば、調整状態が確実に維持され、且つ、容易に調整可能な高さ調整装置を、脚座本体２２の下面にねじ孔４０及び円周溝４２を形成し、一方、キャスタ部１４の取付ボルト２６ａにアジャスタ２０を固定するといった非常に簡単な構成で実現することができる。
【００４６】
また、制動部２０ｂが円筒状に形成されており、この制動部２０ｂの先端側である揺動部２０ｄの壁面に当接する側に突起２０ｆが設けられているので、円周溝４２のほぼ全周にて突起２０ｆが第１外壁面４２ｃに当接する。よって、この突起２０ｆが第１外壁面４２ｃに当接することにより揺動部２０ｄが十分に変形するので、揺動部２０ｄにより第１外壁面４２ｃが確実に付勢されて突起２０ｆと第１外壁面４２ｃとの間に発生する摩擦抵抗が大きくなり、より確実にアジャスタ２０の緩みを防止できる。
【００４７】
一方、制動部２０ｂの中央部に設けられた突起２０ｅが、円周溝４２内に突出されたアジャスタ係止部材３０に係合されるので、制動部２０ｂが円周溝４２から抜け出ることが防止され、例えば、使用者が脚座８の床面に対する高さを調整するために操作部２０ａを回転させた場合に、アジャスタ２０を緩め過ぎてキャスタ部１４が脚座本体２２から外れてしまうことを防止することができる。また、突起２０ｅが設けられた位置により、アジャスタ２０の移動範囲、つまり、脚座８の床面に対する高さを調整可能な範囲が調整されている。
【００４８】
また、この突起２０ｅの外径が円周溝４２の第２外壁面４２ｄの径と略等しくされているので、突起２０ｅの端面が、円周溝４２の第２外壁面４２ｄに当接される。このため、突起２０ｆと第１外壁面４２ｃとの間の摩擦抵抗に加え、この突起２０ｅと第２外壁面４２ｄとの間の摩擦抵抗により、アジャスタ２０の緩みをより確実に防止できる。
【００４９】
なお、本実施形態においては、脚座８が、本発明の高さ調整装置により高さ調整される脚に相当し、キャスタ本体２４が本発明のキャスタに相当し、操作部２０ａが本発明のアジャスタの鍔部に相当し、ねじ孔４０が本発明の雌ねじ部に相当し、突起２０ｆが請求項６の第１突起に相当し、突起２０ｅが請求項６の第２突起に相当し、アジャスタ係止部材３０が本発明の係合部に相当する。
［第２実施形態］
次に、別形態の移動机１について説明する。第２実施形態の移動机１は、脚座８の端部に構成された高さ調整装置以外は、上記第１実施形態と同様に構成されている。このため、第１実施形態と同様の箇所については同様の符号を付して説明を省略し、異なる箇所についてのみ説明する。
【００５０】
図４は、脚座本体６８の端部を、アジャスタ５０の中心を通り、脚座本体６８の長手方向に平行な面にて切断した断面図であり、図４（ａ）は、脚座本体６８の端部が最も高い位置に配置された状態を示す脚座８の端部の断面図、図４（ｂ）は、脚座本体６８の端部が最も低い位置に配置された状態を示す脚座８の端部の断面図、図４（ｃ）は、脚座８の端部を分解した分解図である。なお、脚座本体６８の外観は、図１〜図３に示す第１実施形態の脚座本体２２と同様である。
【００５１】
第２実施形態の高さ調整装置は、図４に示すように、棒状に形成され、その一端で脚柱６に結合された脚座本体６８と、脚座本体６８の脚柱６に結合された側と反対側の端部に結合されたキャスタ部１４と、キャスタ部１４に固定されたアジャスタ５０と、キャスタ部１４が脚座本体６８から離脱しないようにするための薄板状のアジャスタ係止部材７０と、アジャスタ係止部材７０を脚座本体６８に固定するための固定ねじ７２と、から構成されている。
【００５２】
アジャスタ５０は、合成樹脂による成型品であり、外部から操作可能な鍔状の操作部５０ａと、この操作部５０ａから上方に円筒状に突設され、脚座本体６８に挿入される制動部５０ｂと、を備えている。
【００５３】
操作部５０ａは、制動部５０ｂの径よりも大きい径の円盤状に形成されている。そして、操作部５０ａの中心には、取付ボルト２６ａを挿通可能で、且つ、六角に形成されたアジャスタ係合部２６ｂと係合可能な係合孔５０ｃが形成されている。
【００５４】
制動部５０ｂは、操作部５０ａ側から端部に向けて徐々に側壁が薄くなるような円筒状に形成されており、外周面の軸方向の中央部よりも端部側は、軸方向に形成された４箇所のスリットにより４枚の側壁に分割されており、各側壁からなる揺動部５０ｄの先端には、外側に向けて突起５０ｅが設けられている。さらに、この突起５０ｅの上方の角部には面取りが施されている。
【００５５】
そして、アジャスタ５０の係合孔５０ｃに取付部２６が挿通され、アジャスタ係合部２６ｂが係合孔５０ｃに係合されることにより、外部からアジャスタ５０を回動させることにより、取付ボルト２６ａが一体に回動されるように、アジャスタ５０がキャスタ部１４に固定される。
【００５６】
一方、脚座本体６８は、キャスタ部１４が結合される側の端部が下方に突出されており、その端面（以下、キャスタ取付面６８ａともいう）は床面に平行にされている。そして、脚座本体６８の端部には、取付ボルト２６ａが螺合可能なねじ孔６０がキャスタ取付面６８ａから鉛直方向に形成されている。また、このねじ孔６０にキャスタ部１４の取付ボルト２６ａが螺合された際に、アジャスタ５０の制動部５０ｂが挿入される円周溝６２が、ねじ孔６０の周囲に同心円状に形成されている。
【００５７】
そして、円周溝６２は、溝の底面に向けてわずかに溝幅が狭くなるように形成されており、円周溝６２の内側の側面が溝の底面に向けてわずかに外側に傾いている。一方、外側の側面である外壁面６２ａの径は、アジャスタ５０の揺動部５０ｄの先端に外側を向けて形成された突起５０ｅの外径よりも小さく一定に形成されている。
【００５８】
また、脚座本体６８のキャスタ取付面６８ａには、アジャスタ係止部材７０を収納可能な形状の凹部６４が、円周溝６２の一部から脚座本体６８の延出方向に形成されている。そして、この凹部６４は、その底面にアジャスタ係止部材７０が固定された際には、アジャスタ係止部材７０が、円周溝６２の軸方向の中央部で円周溝６２内に一部突出するように、円周溝６２の約半分の深さに形成されている。また、この凹部６４の底面には、アジャスタ係止部材７０を固定するための固定ねじ７２が螺合可能なねじ孔６６が鉛直方向に形成されている。
【００５９】
そして、キャスタ部１４は、取付ボルト２６ａがねじ孔６０に螺合されることにより、脚座本体６８の端部に取り付けられる。そして、キャスタ部１４に固定されたアジャスタ５０は、取付ボルト２６ａが螺合されるのに伴い、制動部５０ｂが円周溝６２に挿入される。ここで、制動部５０ｂの一部である揺動部５０ｄの先端に外側を向けて形成された突起５０ｅの外径は、円周溝６２の外壁面６２ａの径よりも大きく形成されているために、制動部５０ｂが円周溝６２に挿入された際には、突起５０ｅが外壁面６２ａに当接して揺動部５０ｄが内側に変形される。そして、揺動部５０ｄは、この変形により外壁面６２ａを外方向に付勢する。
【００６０】
なお、突起５０ｅの角部に施された面取りは、揺動部５０ｄの上端の外径が円周溝６２の外壁面６２ａの径より小さくなるように形成されており、キャスタ部１４を取り付ける際には、アジャスタ５０は、揺動部５０ｄが外壁面６２ａのエッジに当接して内側に変形されつつ、円周溝６２内にスムーズに挿入される。
【００６１】
また、図４（ａ）に示すように、アジャスタ５０の突起５０ｅが凹部６４の底面より奧に入った状態で、アジャスタ係止部材７０が凹部６４に固定ねじ７２にて固定されており、このアジャスタ係止部材７０の一部が円周溝６２の軸方向の中央部に突出されている。
【００６２】
次に、このアジャスタ５０の使用時の動作について説明する。第２実施形態の高さ調整装置においては、キャスタ部１４の上方、つまり、脚座本体６８の端部の下方に配置されたアジャスタ５０の操作部５０ａを右回りに回転させることにより、アジャスタ５０と共に取付ボルト２６ａが回転され、取付ボルト２６ａと、ねじ孔６０との螺合量が増加する。このため、キャスタ取付面６８ａと、床面との距離が近くなり、脚座本体６８の端部の床面に対する高さは低くなる。なお、図４（ｂ）に示すように、アジャスタ５０の操作部５０ａの上面が、キャスタ取付面６８ａに当接されるまで、操作部５０ａを右回りに回転させることが可能である。
【００６３】
一方、操作部５０ａを左回りに回転させると、アジャスタ５０と共に取付ボルト２６ａが回転され、取付ボルト２６ａと、ねじ孔６０との螺合量が減少する。このため、キャスタ取付面６８ａと、床面との距離が遠くなり、脚座本体６８の端部の床面に対する高さが高くなる。なお、図４（ａ）に示すように、アジャスタ５０の制動部５０ｂの先端に形成された突起５０ｅの下面が、アジャスタ係止部材７０の円周溝６２内に突出された部分の上面に係合されることにより、アジャスタ５０の左回りの回転が阻止される。
【００６４】
以上、説明したように、第２実施形態の高さ調整装置においては、キャスタ部１４を脚座８に取り付けるための取付ボルト２６ａにアジャスタ５０が固定されており、このアジャスタ５０には、操作部５０ａから上方に突設され、円周溝６２に挿入された際に、この円周溝６２の外壁面６２ａを付勢し、当該アジャスタ５０の回動を抑制する制動部５０ｂが設けられている。
【００６５】
従って、第２実施形態の高さ調整装置によれば、使用者は、単に操作部５０ａを回動させるのみで脚座８の床面に対する高さを容易に調整することができる。また、制動部５０ｂの先端に設けられた突起５０ｅが外壁面６２ａに当接して揺動部５０ｄが変形することにより、揺動部５０ｄが外壁面６２ａを付勢し、突起５０ｅと、外壁面６２ａと、の間に摩擦抵抗が発生してアジャスタ５０の回動が抑制されるので、アジャスタ５０が緩むことを防止できる。
【００６６】
つまり、第２実施形態の高さ調整装置によれば、調整状態が確実に維持され、且つ、容易に調整可能な高さ調整装置を、脚座本体６８の下面にねじ孔６０及び円周溝６２を形成し、一方、キャスタ部１４の取付ボルト２６ａにアジャスタ５０を固定するといった非常に簡単な構成で実現することができる。
【００６７】
また、制動部５０ｂが円筒状に形成されており、この制動部５０ｂの先端側である揺動部５０ｄの壁面に当接する側に突起５０ｅが設けられているので、円周溝６２のほぼ全周にて突起５０ｅが外壁面６２ａに当接する。よって、この突起５０ｅが外壁面６２ａに当接することにより揺動部５０ｄが十分に変形するので、揺動部５０ｄにより外壁面６２ａが確実に付勢されて突起５０ｅと外壁面６２ａとの間に発生する摩擦抵抗が大きくなり、より確実にアジャスタ５０の緩みを防止できる。
【００６８】
さらに突起５０ｅが、円周溝６２内に突出されたアジャスタ係止部材７０に係合されるので、制動部５０ｂが円周溝６２から抜け出ることが防止され、例えば、使用者が脚座８の床面に対する高さを調整するために操作部５０ａを回転させた場合に、アジャスタ５０を緩め過ぎてキャスタ部１４が脚座本体６８から外れてしまうことを防止することができる。また、凹部６４の深さにより、アジャスタ５０の移動範囲、つまり、脚座８の床面に対する高さを調整可能な範囲が調整されている。
【００６９】
なお、本実施形態においては、操作部５０ａが本発明のアジャスタの鍔部に相当し、ねじ孔６０が本発明の雌ねじ部に相当し、突起５０ｅが請求項５の第１突起に相当し、アジャスタ係止部材７０が本発明の係合部に相当する。
［第３実施形態］
次に、別形態の移動机１について説明する。第３実施形態の移動机１は、第１実施形態のアジャスタ２０を、第１実施形態とは異なる形状の脚座本体８０に取り付けた例である。このため、第１実施形態と同様の箇所については同様の符号を付して説明を省略し、異なる箇所についてのみ説明する。
【００７０】
図５は、脚座本体８０の端部の構成を示す分解斜視図であり、図６は、脚座本体８０の端部を、アジャスタ２０の中心を通り、脚座本体８０の長手方向に平行な面にて切断した断面図であり、図６（ａ）は、脚座本体８０の端部が最も高い位置に配置された状態を示す脚座８の端部の断面図、図６（ｂ）は、脚座本体８０の端部が最も低い位置に配置された状態を示す脚座８の端部の断面図、図６（ｃ）は、脚座８の端部を分解した分解図である。
【００７１】
第３実施形態の高さ調整装置は、図５及び図６に示すように、棒状に形成され、その一端で脚柱６に結合された脚座本体８０と、脚座本体８０の脚柱６に結合された側と反対側の端部に結合されたキャスタ部１４と、キャスタ部１４に固定されたアジャスタ２０と、キャスタ部１４が脚座本体８０から離脱しないようにするための薄板状のアジャスタ係止部材３０と、アジャスタ係止部材３０を脚座本体８０に固定するための固定ねじ３２と、から構成されている。
【００７２】
脚座本体８０は、図５に示すように、脚座本体８０の長手方向に沿って２つに分割されており、キャスタ部１４を取り付けるためのねじ部を備えた第１部材８０ａと、他の一方である第２部材８０ｂと、が組み合わされて構成されている。
【００７３】
そして、脚座本体８０のキャスタ部１４が結合される側の端部は下方に突出されており、その端面（以下、キャスタ取付面８０ｃともいう）は床面に平行にされている。そして、脚座本体８０の端部には、取付ボルト２６ａが螺合可能なねじ孔８２がキャスタ取付面８０ｃから鉛直方向に形成されており、また、このねじ孔８２にキャスタ部１４の取付ボルト２６ａが螺合された際に、アジャスタ２０の制動部２０ｂが挿入される円周溝８４が、ねじ孔８２の周囲に同心円状に形成されている。
【００７４】
そして、円周溝８４は、開口端側から軸方向の中央部までは一定の幅に形成され、中央部で、その幅が階段状に一端狭くされている。また、中央部から溝の底面８４ｂまでは、底面８４ｂに向けて幅が次第に広がるテーパ状に形成されている。
【００７５】
ここで、円周溝８４の外側の側面である外壁面において、溝の底側の面である第２外壁面８４ｃの内、アジャスタ２０の制動部２０ｂが挿入される部分の径は、アジャスタ２０の制動部２０ｂの先端に外側を向けて形成された突起２０ｆの外径よりも小さく形成されている。また、外壁面の内、開口端側の面である第１外壁面８４ａの径は、アジャスタ２０の制動部２０ｂの中央部に形成された突起２０ｅの外径と略等しく形成されている。
【００７６】
また、脚座本体８０のキャスタ取付面８０ｃには、アジャスタ係止部材３０を収納可能な形状及び深さの凹部８６が円周溝８４の一部から脚座本体８０の延出方向に形成されており、アジャスタ係止部材３０を固定するための固定ねじ３２が螺合可能なねじ孔８８が、凹部８６の底面から鉛直方向に形成されている。
【００７７】
そして、キャスタ部１４は、取付ボルト２６ａがねじ孔８２に螺合されることにより、脚座本体８０の端部に取り付けられる。そして、キャスタ部１４に固定されたアジャスタ２０は、取付ボルト２６ａが螺合されるのに伴い、制動部２０ｂが円周溝８４に挿入される。ここで、制動部２０ｂの一部である揺動部２０ｄの先端に外側を向けて形成された突起２０ｆの外径は、円周溝８４の第２外壁面８４ｃの径よりも大きく形成されているために、制動部２０ｂが円周溝８４に挿入された際には、突起２０ｆが第２外壁面８４ｃに当接して揺動部２０ｄが内側に変形される。そして、揺動部２０ｄは、この変形により第２外壁面８４ｃを外方向に付勢する。
【００７８】
なお、第２外壁面８４ｃ（特に、溝幅が狭く形成された部分）の外径は、揺動部２０ｄの上端の外径より大きくなるように形成されており、キャスタ部１４を取り付ける際には、アジャスタ２０は、揺動部２０ｄが第２外壁面８４ｃのエッジに当接して内側に変形されつつ、円周溝８４内にスムーズに挿入される。
【００７９】
また、図６に示すように、アジャスタ２０の突起２０ｅが円周溝８４内に収納され、凹部８６の底面より奧に入った状態で、アジャスタ係止部材３０が凹部８６に固定ねじ３２にて固定されており、このアジャスタ係止部材３０の一部が、円周溝８４の開口面に突出されている。
【００８０】
そして、このように構成された第３実施形態の高さ調整装置は、第１実施形態の高さ調整装置と同様に動作し、第１実施形態の高さ調整装置と同様の効果を得ることができる。
また、第３実施形態の高さ調整装置においては、円周溝８４の中央部より底面８４ｂ側の部分が、底面８４ｂに向けて溝幅が広がるテーパ状に形成されており、アジャスタ２０が下方に移動するときに突起２０ｆと第２外壁面８４ｃとの間に発生する摩擦抵抗が、例えば外壁面の外径が一定にされている場合よりも大きくなるので、より確実にアジャスタ２０の緩みを防止できる。
【００８１】
なお、本実施形態においては、ねじ孔８２が本発明の雌ねじ部に相当する。
［第４実施形態］
次に、別形態の移動机１について説明する。第４実施形態の移動机１は、第２実施形態のアジャスタ５０を、第２実施形態とは異なる形状の脚座本体９０に取り付けた例である。このため、第２実施形態と同様の箇所については同様の符号を付して説明を省略し、異なる箇所についてのみ説明する。
【００８２】
図７は、脚座本体９０の端部を、アジャスタ５０の中心を通り、脚座本体９０の長手方向に平行な面にて切断した断面図であり、図７（ａ）は、脚座本体９０の端部が最も高い位置に配置された状態を示す脚座８の端部の断面図、図７（ｂ）は、脚座本体９０の端部が最も低い位置に配置された状態を示す脚座８の端部の断面図、図７（ｃ）は、脚座８の端部を分解した分解図である。なお、脚座本体９０の外観は、図５に示す、第３実施形態の脚座本体８０と同様である。
【００８３】
第４実施形態の高さ調整装置は、図７に示すように、棒状に形成され、その一端で脚柱６に結合された脚座本体９０と、脚座本体９０の脚柱６に結合された側と反対側の端部に結合されたキャスタ部１４と、キャスタ部１４に固定されたアジャスタ５０と、から構成されている。
【００８４】
脚座本体９０は、脚座本体９０の長手方向に沿って２つに分割されており、キャスタ部１４を取り付けるためのねじ部を備えた第１部材９０ａと、他の一方である第２部材と、が組み合わされて構成されている。
【００８５】
そして、脚座本体９０のキャスタ部１４が結合される側の端部は下方に突出されており、その端面（以下、キャスタ取付面９０ｂともいう）が床面と平行にされている。そして、脚座本体９０の端部には、取付ボルト２６ａが螺合可能なねじ孔９２がキャスタ取付面９０ｂから鉛直方向に形成されており、また、このねじ孔９２にキャスタ部１４の取付ボルト２６ａが螺合された際に、アジャスタ５０の制動部５０ｂが挿入される円周溝９４が、ねじ孔９２の周囲に同心円状に形成されている。
【００８６】
そして、円周溝９４は、開口端側から軸方向の中央部までは一定の幅に形成され、中央部で、その幅が階段状に広くされている。また、中央部から溝の底面９４ｂまでは、底面に向けて幅が次第に広がるテーパ状に形成されている。
【００８７】
ここで、円周溝９４の外側の側面である外壁面において、溝の底側の面である第２外壁面９４ｃの内、制動部５０ｂが挿入される部分の径は、揺動部５０ｄの先端に外側を向けて形成された突起５０ｅの外径よりも小さく形成されている。また、外壁面の内、開口端側の面である第１外壁面９４ａの径は、アジャスタ５０の揺動部５０ｄが内側に変形された状態で挿通可能な幅に形成されている。
【００８８】
そして、キャスタ部１４は、取付ボルト２６ａがねじ孔９２に螺合されることにより、脚座本体９０の端部に取り付けられる。そして、キャスタ部１４に固定されたアジャスタ５０は、取付ボルト２６ａが螺合されるのに伴い、制動部５０ｂの揺動部５０ｄが内側に変形されて円周溝９４に挿入され、溝の幅が広がった階段状に形成された部分まで挿通されると、揺動部５０ｄの先端に外側を向けて形成された突起５０ｅが、階段状の部分に係合される。また、さらに取付ボルト２６ａが螺合され、揺動部５０ｄが円周溝９４の階段状の部分よりも内部に挿入された際には、突起５０ｅが設けられた部分の外径は、円周溝９４の第２外壁面９４ｃの径よりも大きく形成されているために、突起５０ｅが第２外壁面９４ｃに当接して揺動部５０ｄが内側に変形される。そして、揺動部５０ｄは、この変形により第２外壁面９４ｃを外方向に付勢する。
【００８９】
なお、円周溝９４の第１外壁面９４ａの径は、揺動部５０ｄの上端の外径より大きくなるように形成されており、キャスタ部１４を取り付ける際には、アジャスタ５０は、揺動部５０ｄが第１外壁面９４ａのエッジに当接して内側に変形されつつ、円周溝９４内にスムーズに挿入される。
【００９０】
このように構成された第４実施形態の高さ調整装置は、第２実施形態の高さ調整装置と同様に動作する。ただし、図７（ａ）に示すように、アジャスタ５０に形成された突起５０ｅの下面が、円周溝９４の階段状に形成された部分に係合されることにより、アジャスタ５０の左回りの回転が阻止される。そして、第４実施形態の高さ調整装置によれば、第２実施形態の高さ調整装置と同様の効果を得ることができる。
【００９１】
また、特に、第４実施形態の高さ調整装置においては、アジャスタ５０に形成された突起５０ｅの下面が、円周溝９４の階段状に形成された部分に係合されることにより、アジャスタ５０の左回りの回転が阻止されるので、キャスタ部１４の抜け止め用の部材を設けることなく、キャスタ部１４が脚座本体９０から外れてしまうことを防止することができる。
【００９２】
さらに、円周溝９４の中央部より底面９４ｂ側の部分が、底面９４ｂに向けて溝幅が広がるテーパ状に形成されているので、アジャスタ５０が下方に移動するときに突起５０ｅと第２外壁面９４ｃとの間に発生する摩擦抵抗が、例えば外壁面が一定にされている場合よりも大きくなるので、より確実にアジャスタ５０の緩みを防止できる。
【００９３】
なお、本実施形態においては、ねじ孔９２が本発明の雌ねじ部に相当し、円周溝９４内の階段状の部分が本発明の係合部に相当する。
以上、本発明の一実施形態について説明したが、本発明は、種々の形態を採り得ることは言うまでもない。
【００９４】
例えば、上記各実施形態では、アジャスタの制動部の先端には外側に向けて突起を形成しているが、さらに内側にも突起を形成するようにしてもよい。また、制動部と円周溝の側壁との間にアジャスタの回転を抑制するために十分な摩擦抵抗が発生する範囲であれば、必ずしも突起を設ける必要はない。
【００９５】
また、上記各実施形態では、アジャスタの制動部は円筒状に形成されているが、円筒状でなくても、単に、操作部から上方に突設される複数の板部により構成してもよい。
そして、上記実施形態では、本発明の高さ調整装置を移動机１の脚座８に適用した例を説明してきたが、例えば、高さ調節装置を移動机１ではなく、テーブルや椅子等に適用してもよい。
【図面の簡単な説明】
【００９６】
【図１】第１実施形態の移動机１の外観を示す斜視図である。
【図２】第１実施形態の脚座本体２２の端部の構成を示す分解斜視図である。
【図３】第１実施形態の脚座本体２２の端部の詳細な構成を示す断面図である。
【図４】第２実施形態の脚座本体６８の端部の詳細な構成を示す断面図である。
【図５】第３実施形態の脚座本体８０の端部の構成を示す分解斜視図である。
【図６】第３実施形態の脚座本体８０の端部の詳細な構成を示す断面図である。
【図７】第４実施形態の脚座本体９０の端部の詳細な構成を示す断面図である。
【符号の説明】
【００９７】
１…移動机、２…天板、４…脚部、６…脚柱、８…脚座、１０…キャスタ部、１２…ストッパ、１４…キャスタ部、１６…天板支持部、２０…アジャスタ、２０ａ…操作部、２０ｂ…制動部、２０ｃ…係合孔、２０ｄ…揺動部、２０ｅ…突起、２０ｆ…突起、２２…脚座本体、２２ａ…キャスタ取付面、２４…キャスタ本体、２６…取付部、２６ａ…取付ボルト、２６ｂ…アジャスタ係合部、３０…アジャスタ係止部材、３２…固定ねじ、４０…ねじ孔、４２…円周溝、４２ａ…内壁面、４２ｂ…底面、４２ｃ…第１外壁面、４２ｄ…第２外壁面、４４…凹部、４６…ねじ孔、５０…アジャスタ、５０ａ…操作部、５０ｂ…制動部、５０ｃ…係合孔、５０ｄ…揺動部、５０ｅ…突起、６０…ねじ孔、６２…円周溝、６２ａ…外壁面、６４…凹部、６６…ねじ孔、６８…脚座本体、７０…アジャスタ係止部材、７２…固定ねじ、８０…脚座本体、８０ａ…第１部材、８２…ねじ孔、８４…円周溝、８６…凹部、８８…ねじ孔、９０…脚座本体、９２…ねじ孔、９４…円周溝
【図１】
0004805723.tif 000002
【図２】
0004805723.tif 000003
【図３】
0004805723.tif 000004
【図４】
0004805723.tif 000005
【図５】
0004805723.tif 000006
【図６】
0004805723.tif 000007
【図７】
0004805723.tif 000008